【手続補正書】
【提出日】平成20年1月15日(2008.1.15)
【手続補正１】
【補正対象書類名】明細書
【補正対象項目名】００８９
【補正方法】変更
【補正の内容】
【００８９】
図６において、鈍波発生回路５１は走査電極Ｙに印加する電圧を正の電圧Ｖｗ’からグランドレベル（０Ｖ）に変化させる鈍波を発生する回路であり、スイッチＳＷ１２を含み構成される。このＳＷ１２はスキャンドライバ３４の電源ラインとＧＮＤとの間に直列に接続される。
【手続補正２】
【補正対象書類名】明細書
【補正対象項目名】００９０
【補正方法】変更
【補正の内容】
【００９０】
また、鈍波発生回路２２’は、走査電極Ｙに印加する電圧をグランドレベル（０Ｖ）から負の電圧（−Ｖｓ／２）に変化させる鈍波を発生する回路であり、スイッチＳＷ１１’を含み構成される。このＳＷ１１’はスキャンドライバ３４の電源ラインと第４の信号ラインＯＵＴＢ’との間に直列に接続される。
すなわち、図６に示す駆動装置においては、まず、鈍波発生回路５１により走査電極Ｙの電圧を正の電圧Ｖｗ’からグランドレベルにした後、鈍波発生回路２２’により走査電極Ｙの電圧をグランドレベルから負の電圧（−Ｖｓ／２）にする。
【手続補正３】
【補正対象書類名】明細書
【補正対象項目名】００９２
【補正方法】変更
【補正の内容】
【００９２】
図７において、鈍波発生回路２２’は、フォトカプラ５２、ＭＯＳドライバ５３、スイッチ１１’を含み構成される。フォトカプラ５２は、図示しない駆動信号発生回路から供給されるスイッチＳＷ１１’に対する制御信号の基準レベルを、グランドレベルから第４の信号ラインＯＵＴＢ’の電位レベルにレベル変換するものである。このレベル変換は、スイッチＳＷ１１’を構成するトランジスタのソースが第４の信号ラインＯＵＴＢ’に接続されており、当該トランジスタが上記第４の信号ラインＯＵＴＢ’の電位を基準レベルとして動作するために行う。
【手続補正４】
【補正対象書類名】明細書
【補正対象項目名】００９３
【補正方法】変更
【補正の内容】
【００９３】
ＭＯＳドライバ５３は、上記フォトカプラ５２によりレベル変換されたスイッチＳＷ１１’に対する制御信号をスイッチＳＷ１１’のゲート駆動レベルにレベルシフトし、スイッチＳＷ１１’に供給する。このＭＯＳドライバ５３は、２つのトランジスタＴｒ２１、Ｔｒ２２を備えており、上記フォトカプラ５２によりレベル変換されたスイッチＳＷ１１’に対する制御信号に従ってトランジスタＴｒ２１、Ｔｒ２２のＯＮ／ＯＦＦ制御を行うことにより、スイッチＳＷ１１’に対する制御信号をスイッチＳＷ１１’に供給する。
【手続補正５】
【補正対象書類名】明細書
【補正対象項目名】００９４
【補正方法】変更
【補正の内容】
【００９４】
スイッチＳＷ１１’は、スキャンドライバの電源ラインと第４の信号ラインＯＵＴＢ’との間に直列に接続されたトランジスタと抵抗Ｒ２’とを含み構成される。上記トランジスタのドレインは、ダイオードを介してスキャンドライバの電源ラインに接続されており、ソースは抵抗Ｒ２’を介して第４の信号ラインＯＵＴＢ’に接続されている。また、上記トランジスタのゲートは、上記ＭＯＳドライバ５３の出力端子に接続され、上記ＭＯＳドライバによりレベルシフトされたＳＷ１１’に対する駆動電圧が供給される。
【手続補正６】
【補正対象書類名】明細書
【補正対象項目名】００９５
【補正方法】変更
【補正の内容】
【００９５】
また、鈍波発生回路５１は、駆動用のＭＯＳドライバ５４とスイッチＳＷ１２とを含み構成される。なお、鈍波発生回路５１においては、スイッチＳＷ１２を構成するトランジスタのソースがグランドに接続されており、当該トランジスタはグランドを基準レベルとして動作するため、フォトカプラ等のレベル変換回路は不要である。
【手続補正７】
【補正対象書類名】明細書
【補正対象項目名】００９６
【補正方法】変更
【補正の内容】
【００９６】
上記ＭＯＳドライバ５４は、図示しない駆動信号発生回路から供給されるグランドレベルを基準とするスイッチＳＷ１２に対する制御信号をスイッチＳＷ１２のゲート駆動レベルにレベルシフトし、スイッチＳＷ１２に供給する。このＭＯＳドライバ５４は、上記ＭＯＳドライバと同様に、２つのトランジスタＴｒ２３、Ｔｒ２４を備えている。
【手続補正８】
【補正対象書類名】明細書
【補正対象項目名】００９７
【補正方法】変更
【補正の内容】
【００９７】
また、スイッチ１２は、スキャンドライバの電源ラインとＧＮＤとの間に直列に接続されたトランジスタと抵抗Ｒ４とを含み構成される。上記トランジスタのドレインは、ダイオードを介してスキャンドライバの電源ラインに接続されており、ソースは抵抗Ｒ４を介してＧＮＤに接続されている。また、上記トランジスタのゲートは、上記ＭＯＳドライバ５４の出力端子に接続され、上記ＭＯＳドライバ５４によりレベルシフトされたＳＷ１２に対する駆動電圧が供給される。
【手続補正９】
【補正対象書類名】明細書
【補正対象項目名】０１００
【補正方法】変更
【補正の内容】
【０１００】
次に、共通電極Ｘの電圧をグランドレベル（０Ｖ）した後、共通電極Ｘに正の電圧（Ｖｓ／２）を印加する。一方、走査電極Ｙ側については、電圧が徐々に降下し最終的に負の電圧（−Ｖｓ／２）に達する鈍波を走査電極Ｙに印加する。このとき、走査電極Ｙに印加する鈍波は、まず、スイッチＳＷ７をＯＦＦにし、鈍波発生回路５１内のスイッチＳＷ１２をＯＮにすることにより、走査電極ＹをＧＮＤレベルにする鈍波を印加する。そして、走査電極Ｙの電圧がグランドレベルになった後、スイッチＳＷ１２をＯＦＦにし、スイッチＳＷ２’および鈍波発生回路２２’内のスイッチＳＷ１１’をＯＮにすることにより、走査電極Ｙに印加する電圧を負の電圧（−Ｖｓ／２）にする鈍波を印加する。
【手続補正１０】
【補正対象書類名】明細書
【補正対象項目名】０１０２
【補正方法】変更
【補正の内容】
【０１０２】
このように、走査電極Ｙに正の電圧Ｖｗ’からＧＮＤに変化する鈍波を印加する鈍波発生回路５１と、ＧＮＤから負の電圧（−Ｖｓ／２）に変化する鈍波を印加する鈍波発生回路２２’とを設けることにより、新たな電源を設けることなく、時間経過とともに走査電極Ｙの電位を正の電圧Ｖｗ’から負の電圧（−Ｖｓ／２）にすることができる。
【手続補正１１】
【補正対象書類名】明細書
【補正対象項目名】０１０３
【補正方法】変更
【補正の内容】
【０１０３】
しかしながら、図８に示すように、走査電極Ｙの電位を正の電圧Ｖｗ’から負の電圧（−Ｖｓ／２）にするには、スイッチＳＷ２’、ＳＷ１１’およびＳＷ１２をあわせて制御しなければならず、スイッチ制御が複雑となる。すなわち、まず、走査電極Ｙの電位を正の電圧Ｖｗ’からＧＮＤにする際には、鈍波発生回路５１内のスイッチＳＷ１２をＯＮにし、走査電極Ｙの電位がＧＮＤになった後、上記スイッチＳＷ１２をＯＦＦにして、鈍波発生回路２２’内のスイッチＳＷ１１’をＯＮにするとともに、スイッチＳＷ２’をＯＮにしなければならない。
【手続補正１２】
【補正対象書類名】明細書
【補正対象項目名】０１０６
【補正方法】変更
【補正の内容】
【０１０６】
図９は、スイッチＳＷ１０の他の回路構成例を示す図である。
図９（ａ）において、スイッチＳＷ１０−１は、図４では第３の信号ライン上のノードＡとＧＮＤとの間に、ダイオード、トランジスタ、抵抗の順に直列に接続されていたスイッチを、ダイオード、抵抗、トランジスタの順に直列に接続したものである。このように、スイッチ内で直列に接続されるトランジスタと抵抗との接続を入れ替えても、上述した図５に示す印加する電圧を正の電圧Ｖｗ’から負の電圧（−Ｖｓ／２）に変化させる鈍波を走査電極Ｙに供給することができる。
【手続補正１３】
【補正対象書類名】明細書
【補正対象項目名】０１０８
【補正方法】変更
【補正の内容】
【０１０８】
図９（ｂ）において、スイッチＳＷ１０−２は、第３の信号ライン上のノードＡとＧＮＤとの間に、ダイオード、トランジスタ、抵抗の順に直列に接続されたスイッチＳＷ１０に、さらにダイオードとトランジスタとの間にツェナーダイオードＺＤを直列に接続したものである。このようにダイオードとトランジスタとの間にツェナーダイオードＺＤを接続することにより、図１０の駆動波形のタイムチャートに示すように、鈍波を印加した際の到達電位を（−Ｖｓ／２）以上の任意の電位（−Ｖｓ／２＋Ｖｚ）に設定することができる。すなわち、リセット期間中の全面消去期間に印加する電圧にオフセットをかけることができる。これにより、維持放電期間に点灯させるセルを選択するアドレス期間において、より安定したセルの選択（アドレッシング）ができる。例えば、プラズマディスプレイパネルの製造過程における誤差（製造バラツキ）等にあわせて、全面消去期間に印加する電圧にオフセットをかけることで、確実に点灯させるセルを選択することができるようになる。
【手続補正１４】
【補正対象書類名】明細書
【補正対象項目名】０１１０
【補正方法】変更
【補正の内容】
【０１１０】
図９（ｃ）において、スイッチＳＷ１０−３は、第３の信号ライン上のノードＡとＧＮＤとの間に、ダイオード、トランジスタ、抵抗の順に直列に接続されていたスイッチＳＷ１０のトランジスタ（ＭＯＳＦＥＴ）をＩＧＢＴ（Insulated Gate Bipolar Transistor）素子に置き換えたものである。このＩＧＢＴ素子は、３端子のバイポーラ−ＭＯＳ複合素子であり、ＭＯＳＦＥＴよりも動作抵抗が小さく、電力ロスが少なくて済む。
【手続補正１５】
【補正対象書類名】明細書
【補正対象項目名】０１１２
【補正方法】変更
【補正の内容】
【０１１２】
図９（ｄ）において、スイッチＳＷ１０−４は、第３の信号ライン上のノードＡとＧＮＤとの間に、ダイオード、トランジスタ、抵抗の順に直列に接続されていたスイッチＳＷ１０のトランジスタ（ＭＯＳＦＥＴ）をバイポーラトランジスタに置き換え、第３の信号ライン上のノードＡとＧＮＤとの間に、ダイオード、抵抗、バイポーラトランジスタの順に直列に接続したものである。
【手続補正１６】
【補正対象書類名】図面
【補正対象項目名】図５
【補正方法】変更
【補正の内容】
【図５】
2002215089.tif 000001
【手続補正１７】
【補正対象書類名】図面
【補正対象項目名】図７
【補正方法】変更
【補正の内容】
【図７】
2002215089.tif 000002
【手続補正１８】
【補正対象書類名】図面
【補正対象項目名】図８
【補正方法】変更
【補正の内容】
【図８】
2002215089.tif 000003